(57)【要約】【課題】  電話がかかってきた相手によりバイブレータの振動方法を変えることにより、会議中等の場合であっても周囲に迷惑をかけずに電話に応答する必要がある相手を認識できること目的とする。【解決手段】  発信者番号データが無線受信部に受信されると（Ｓ４１）、制御部は発信者番号データを一時記憶手段に記憶し（Ｓ４２）、この番号と予め登録された電話番号とを照合手段で照合し（Ｓ４３）、一致すれば制御部はバイブレータ駆動回路を連続動作または断続動作させ（Ｓ４５）、一致しなければ断続動作または連続動作または不動作にさせる（Ｓ４６）。【選択図】  図３
2004357341.tif 000002
【特許請求の範囲】
【請求項１】
発信者番号データを受信する無線受信部と、あらかじめ電話番号を登録する登録番号メモリと、前記発信者番号データと登録番号メモリに登録された電話番号とを照合する照合手段と、この照合手段の照合結果により番号が第１のランクとして登録された番号に一致した場合は第１の無鳴動着信を発生し、第２のランクとして登録された番号に一致した場合は第２の無鳴動着信を発生する制御手段とを備えた無線端末。
【請求項２】
前記照合手段の照合結果が第１のランクまたは第２のランクのいずれかの場合に、一定時間経過後回線を開放することができる請求項１記載の無線端末。
【請求項３】
モードを設定するモード設定手段と、設定したモードを記憶する設定モード記憶手段とをさらに備え、
前記モード設定手段によりあらかじめ設定され、前記設定モード記憶手段に記憶された設定モードの状態に従って、前記照合手段が照合を行い、その照合結果にもとづいて発信者番号データに対応した着信動作を行うことを特徴とした請求項１または請求項２記載の無線端末。
【請求項４】
モードを設定するモード設定手段と、発信者番号に対応したモードごとの着信動作を記憶するメモリとを備え、
前記モード設定手段により設定されたモードにおける発信者番号データに対応した着信動作を行うことを特徴とした請求項１または請求項２記載の無線端末。
【請求項５】
発信者番号データを受信する無線受信部と、あらかじめ電話番号を登録する登録番号メモリと、前記発信者番号データと登録番号メモリに登録された電話番号とを照合する照合手段と、モードを設定するモード設定手段と、前記登録番号メモリに登録された電話番号に対応したモードごとの着信動作を記憶するメモリとを備え、
前記モード設定手段によりあらかじめ設定されたモードにおける前記登録番号メモリに登録された電話番号に対応した着信動作を行うことを特徴とした無線端末。
【請求項６】
前記着信動作は、電源ＯＦＦ、不動作、振動強度の強弱のいずれかであることを特徴とする請求項１ないし請求項４いずれかに記載の無線端末。
【発明の詳細な説明】
【技術分野】
【０００１】
本発明は、携帯電話、ＰＨＳ（パーソナルハンディホン）等の無線端末に関するものである。
【背景技術】
【０００２】
従来、着信者側で電話に出たい相手だけに応答することのできる着信表示技術があり、例えば、特開昭６２−２４３４５２号公報（特許文献１）に記載されたものが知られている。
【０００３】
図８は従来のこの種の電話機の構成を示す。図８において、電話機８０には、電話回線８１に接続された通話回路８２とダイヤル８３および送受信器８４で構成される通話路系と、電話回線８１からの呼出信号および電話番号データを受信し検出する着信検出回路８５と、あらかじめ電話番号を登録しておくためのメモリ８６と、着信があるとリンガ音等により可聴的に表示する着信音表示器８７と、電話機８０の全体の制御を司るＣＰＵ８８で構成される着信表示系とを備えている。
【０００４】
次に上記従来の電話機の動作について説明する。着信があると、電話回線８１からに呼出信号と電話番号情報が送られ、着信検出回路８５に入力され、検出される。ＣＰＵ８８は、着信検出回路８５から着信を読み込むと、電話回線８１から受信した電話番号情報とメモリ８６に登録された電話番号とを照合し、それらが一致する場合は着信音表示器８７を鳴動し、可聴的に表示する。一致しない場合には、ＣＰＵ８８は、着信音表示器８７による可聴表示形態、例えば着信音量、音色を変えるので、着信側で電話に出たい相手を認識することができ、また、いたずら電話の防止をすることができる。
【０００５】
【特許文献１】特開昭６２−２４３４５２号公報
【発明の開示】
【発明が解決しようとする課題】
【０００６】
しかしながら、上記従来の電話機においては、リンガ音等の音色等を変えて特定の発信者を識別するため、会議中や電車に乗っている場合等に電話がかかってきた場合は、周囲に迷惑をかけるという問題を有していた。
【０００７】
本発明は、上記従来の問題を解決するもので、無鳴動着信によって応答必要性をより的確に判断でき、会議中等に着信を受けた場合でも、電話に出る必要がある相手であるかどうかを容易に認識できる優れた無線端末を提供することを目的とする。
【課題を解決するための手段】
【０００８】
本発明の無線端末は、発信者番号データを受信する無線受信部と、あらかじめ電話番号を登録する登録番号メモリと、前記発信者番号データと登録番号メモリに登録された電話番号とを照合する照合手段と、この照合手段の照合結果により番号が第１のランクとして登録された番号に一致した場合は第１の無鳴動着信を発生し、第２のランクとして登録された番号に一致した場合は第２の無鳴動着信を発生する制御手段とを備えたものである。
【０００９】
これにより、無鳴動着信によって応答必要性をより的確に判断でき、会議中等に着信を受けた場合でも、電話に出る必要がある相手であるかどうかを容易に認識することが可能となる。したがって、会議中や電車の中などでも安心して、必要な相手からの電話だけに応答することができる。
【００１０】
また、前記照合手段の照合結果が第１のランクまたは第２のランクのいずれかの場合に、一定時間経過後回線を開放することができるものとする。
【００１１】
また、前記モード設定手段によりあらかじめ設定され、前記設定モード記憶手段に記憶された設定モードの状態に従って、前記照合手段が照合を行い、その照合結果にもとづいて発信者番号データに対応した着信動作を行うものとする。
【００１２】
また、モードを設定するモード設定手段と、発信者番号に対応したモードごとの着信動作を記憶するメモリとを備え、前記モード設定手段により設定されたモードにおける発信者番号データに対応した着信動作を行うものとする。
【００１３】
また、本発明の無線端末は、発信者番号データを受信する無線受信部と、あらかじめ電話番号を登録する登録番号メモリと、前記発信者番号データと登録番号メモリに登録された電話番号とを照合する照合手段と、モードを設定するモード設定手段と、前記登録番号メモリに登録された電話番号に対応したモードごとの着信動作を記憶するメモリとを備え、前記モード設定手段によりあらかじめ設定されたモードにおける前記登録番号メモリに登録された電話番号に対応した着信動作を行うものである。
【００１４】
また、前記着信動作は、電源ＯＦＦ、不動作、振動強度の強弱のいずれかであるものとする。
【発明の効果】
【００１５】
本発明によれば、無鳴動着信によって応答必要性をより的確に判断でき、会議中等に着信を受けた場合でも、電話に出る必要がある相手であるかどうかを容易に認識できるという効果が得られる。
【発明を実施するための最良の形態】
【００１６】
（実施の形態１）
図１（ａ）は無線端末のカバーを閉じた状態の正面図を示し、図１（ｂ）は無線端末のカバーを開いた状態の正面図を示したものである。この無線端末は、電話機本体１とカバー２から構成されている。電話機本体１の筐体３は、筐体本体４と蓋体５とから構成され、筐体本体４の背面における中間部より下部に至る範囲に形成された凹所６に電池パック７が着脱可能に取り付けられている。蓋体５の正面側の中間部より下部に至る範囲で浅い凹所８が形成され、この凹所８内には、プッシュボタン等の操作パッド部９が配列されている。蓋体５の正面側の上部にはスピーカ用の孔１０が形成され、その下部には電話番号等のデータ表示を行なう表示画面１１が設けられている。筐体本体４の下部両側部には、カバー２の基部両側部がヒンジ部１２、１３により回転可能に連結されている。
【００１７】
図２は上記無線端末の電気的構成を示したものである。図２において、２１は公衆基地局（図示しない）から無線電波として放射された信号を受信するためのアンテナである。２２はアンテナ２１により受信された信号に対して増幅、周波数変換処理および検波処理を行なう無線受信部である。２３は無線受信部２２から送られた受信データを所定の論理処理等を実行し、無線端末の全体制御を司る制御部（マイクロコンピュータ）である。２４はアンテナ２１から無線受信部２２へ受信した発信者番号データ（電話番号）を一時的に記憶するための一時記憶手段であり、２５はあらかじめ使用者が操作部３４により電話番号を登録するための登録番号メモリであり、登録した時にその電話番号を表示部３３に表示するようになっている。２６は一時記憶手段２４と登録番号メモリ２５にそれぞれ記憶された電話番号が一致するか否かを照合する照合手段である。２７は照合手段２６の照合結果により動作するバイブレータ駆動回路であり、２８は振動用モータである。２９はリンガ音などを発生するためのスピーカ駆動回路であり、３０はスピーカである。３１はモータ２８の回転数や連続動作、断続動作等の内容を設定するモード設定メモリである。３２は照合手段２６の照合結果により番号が一致しない場合に、一定時間経過後に回線を開放するために計時するタイマである。３３は表示部であり、３４は番号登録やバイブレータ駆動回路２７の動作設定を行なう操作部である。
【００１８】
次に、実施の形態１の動作について説明する。使用者は操作部３４によりバイブレータの振動方法を以下のようにモード設定メモリ３１に設定する。すなわち、バイブレータ駆動回路２７の動作を、操作部３４のプッシュボタン「１」を押下すればモータ２８の連続動作／断続動作（以下Ａモードという。）を、「２」を押下すればモータ２８の高速動作／低速動作（以下Ｂモードという。）を設定できる。
【００１９】
以下、Ａモードに設定した場合のバイブレータ着信動作を図３を参照して説明する。Ａモード設定後、発信者番号データがアンテナ２１を通り、無線受信部２２に受信されると（Ｓ４１）、制御部２３は、発信番号データを一時記憶手段２４に記憶する（Ｓ４２）。この一時記憶された発信者番号データをあらかじめ登録番号メモリ２５に登録された電話番号と照合手段２６で照合し（Ｓ４３）、照合の結果番号が一致すれば、制御部２３は、モード設定モリ３１に設定された内容に従い、バイブレータ駆動回路２７を連続動作させる（Ｓ４５）。一致しなければ、制御部２３は、バイブレータ駆動回路２７を断続動作させる（Ｓ４６）。または逆に、番号が一致する場合は断続動作、一致しない場合は連続動作としてもよい。また、プッシュボタン「２」を押下してＢモードに設定することにより、番号が一致した場合は高速動作（または低速動作）、一致しない場合は低速動作（または高速動作）としてもよい。
【００２０】
次に、図４を参照してバイブレータ駆動回路２７の回路構成について説明する。図４において、モータ２８は、電流制限抵抗５１を介しｎｐｎ接合型トランジスタ５２のエミッタに接続されている。トランジスタ５２のベースは、筐体３に内蔵されている制御部（マイクロコンピュータ）２３に接続され、トランジスタ５２のコレクタは、電池パック７内の電池５３に接続されている。従って、制御部２３からの信号により、トランジスタ５２のオン動作またはオン・オフ動作を繰り返すように制御して、モータ２８に電流を連続的または断続的に流し、モータ２８を駆動することができる。
【００２１】
また、無線端末は、図１（ａ）に示すように、カバー２を閉じて衣服のポケットなどに納めた状態で携帯する。そして、この無線端末に着信があると、制御部２３からの信号によりトランジスタ５２のオン・オフ動作を繰り返すように制御し、バイブレータのモータ２８を連続的または断続的に駆動する。そしてモータ２８の回転により分銅（図示しない）を偏心回転する。この機械振動が筐体３に伝達されるので、連続動作／断続動作状態を区別して感知することができる。
【００２２】
図５はバイブレータ駆動回路２７の起動時間とモータ２８に流れる消費電流の関係を示したものである。図５（ａ）はバイブレータの連続動作を示し、図５（ｂ）はバイブレータの断続動作を示し、図５（ｃ）はバイブレータの高速動作および低速動作をそれぞれ示したものである。
【００２３】
連続動作の場合は、図３のＳ４４で番号が一致した場合（Ｓ４５）、制御部２３はバイブレータ駆動回路２７を連続動作させ、モータ２８に電流を流す。モータ２８の立ち上がり時は１００ｍＡまで電流が増加し、８０ｍＡで定常電流となる。断続動作の場合は、図３のＳ４４で番号が一致しない場合（Ｓ４６）、制御部２３はトランジスタ５２をオン・オフ動作させることでバイブレータ駆動回路２７を断続動作させ、モータ２８に電流を流す。モータ２８の電流は、図５（ｂ）のように最大値１００ｍＡ、最低値６０ｍＡを増減する。このとき、モータ２８は、約１．４ボルトの電圧が一定周期（例えば１秒間隔）で印加される。高速動作および低速動作の場合は、制御部２３は、バイブレータの感知に差をつけることができる程度に、例えば図５（ｃ）のように、それぞれ定常電流１００ｍＡ、５０ｍＡになるように、モード設定メモリ３１に設定する。
【００２４】
以上のように、使用者はバイブレータ駆動回路２７の連続動作／断続動作状態などを区別して感知することができるため、会議中などの場合でも、電話に出る必要がある相手だけに応答することができる。また、電話に出る必要のない相手から着信があった場合は、バイブレータ駆動回路２７を断続動作させるので、電池パック７内の電池の電力消費を抑えることができ、連続通話時間を延長することができる。さらに、モータの消費電力も軽減できるため、その寿命を延ばすことができる。
【００２５】
（実施の形態２）
次に、本発明の実施の形態２について説明する。無線端末の構成は図１に示したものと同じであり、実施の形態１とはバイブレータ駆動回路２７に対する制御部２３の制御の仕方が異なるのみである。使用者は、操作部３４によりバイブレータの振動方法を以下のようにモード設定メモリ３１に設定する。すなわち、バイブレータ駆動回路２７の動作を操作部３４のプッシュボタン「３」を押下することにより、モータ２８の連続動作／動作停止（以下Ｃモードという。）を設定できる。
【００２６】
図６はＣモードに設定した場合のバイブレータ着信動作を示したものである。Ｃモード設定後、発信者番号データがアンテナ２１を通り、無線受信部２２に受信されると（Ｓ６１）、制御部２３は、発信者番号データを一時記憶手段２４に記憶する（Ｓ６２）。あらかじめ登録番号メモリ２５に登録された電話番号と一時記憶された発信者番号データとを照合手段２６で照合し（Ｓ６３）、照合結果が一致すれば、制御部２３は、モード設定メモリ３１に設定された内容に従い、バイブレータ駆動回路２７を連続動作させる（Ｓ６５）。一致しなければ、制御部２３は、バイブレータ駆動回路２７の動作を停止させ（Ｓ６６）、発信者番号データを受信してからタイマ３２で計時し（Ｓ６７）、一定時間経過後、制御部２３は、無線端末の回線を開放する（又は電源をオフする）（Ｓ６８）。
【００２７】
なお、ここでは番号が一致した場合にバイブレータ駆動回路２７を連続動作させることにしたが、これに代えて断続動作、高速動作または低速動作にしてもよい。また、タイマの起動時間を発信者番号データを受信した時と定義したが、これに限らず、番号が一致しないことを検出した時などでもよい。
【００２８】
以上のように、本実施の形態２によれば、番号が一致した場合だけバイブレータ駆動回路２７を動作するようにしたので、実施の形態１よりもさらにモータの消費電力を軽減でき、電池の寿命を延ばすことができる。また、電池パック内の電池の電力消費を抑えることができるため、連続通話時間が格段に延長でき、また、番号が一致しない場合には、自動的に電源を切ることができるので、電源の切り忘れを防止することができる。
【００２９】
（実施の形態３）
次に、本発明の実施の形態３について説明する。無線端末の構成は図１に示したものと同じであり、実施の形態１とはバイブレータ駆動回路２７に対する制御部２３の制御の仕方が異なるのみである。使用者は、操作部３４によりバイブレータの振動方法を以下のようにモード設定メモリ３１に設定する。ここでは、電話番号をランクづけし、モード設定メモリ３１の２つの記憶領域に分けて登録する。すなわち、操作部３４のプッシュボタン「＊」のあとにランクの高い電話番号を押下すれば、制御部２３は、モードメモリ３１のランクＰのメモリ領域にその電話番号を記憶し、「＃」のあとにランクの低い電話番号を押下すればランクＱのメモリ領域にその番号を設定できる（以下Ｄモードという。）。
【００３０】
ここでは２ランクに分けたが、３ランク以上に分けて電話番号を記憶し、それらに対応したバイブレータの振動方法を準備するようにしてもよい。また、着信時に、操作部３４の登録番号（図示しない）を押下して自動的に発信者番号データを登録するようにしてもよい。
【００３１】
図７はＤモードに設定した場合のバイブレータ着信動作を示したものである。Ｄモード設定後、発信者番号データがアンテナ２１を通り、無線受信部２２に受信されると（Ｓ７１）、制御部２３は、発信差番号データを一時記憶手段２４に記憶する（Ｓ７２）。あらかじめ登録番号メモリ２５に登録された電話番号と一時記憶された発信者番号データとを照合手段２６で照合し（Ｓ７３）、照合の結果ランクＰの番号と一致すれば、制御部２３は、モード設定メモリ３１に設定された内容に従い、バイブレータ駆動回路２７を連続動作させる（Ｓ７５）。ランクＰに一致せずにランクＱの番号と一致すれば（Ｓ７６）、制御部２３は、バイブレータ駆動回路２７を断続動作させる（Ｓ７７）。さらに、ランクＱの番号とも一致しなければ、制御部２３は、バイブレータ駆動回路２７の動作を停止させる（Ｓ７８）。なお、ランクＰおよびランクＱに一致した場合、バイブレーション駆動回路２７をそれぞれ高速動作、低速動作に設定してもかまわない。
【００３２】
以上により、単に必要な相手から電話に出ることができるだけでなく、応答必要性の緊急度をより的確に判断することができる。
【産業上の利用可能性】
【００３３】
本発明は、無鳴動着信によって応答必要性をより的確に判断でき、会議中等に着信を受けた場合でも、電話に出る必要がある相手であるかどうかを容易に認識できるという効果を有し、携帯電話、ＰＨＳ（パーソナルハンディホン）等の無線端末等に有用である。
【図面の簡単な説明】
【００３４】
【図１】（ａ）本発明における無線端末のカバーを閉じた状態を示す正面図、（ｂ）本発明における無線端末のカバーを閉じた状態を示す側面図
【図２】本発明における無線端末の電気的構成を示すブロック図
【図３】本発明の実施の形態１におけるＡモードに設定した場合のバイブレータ着信動作を示すフロー図
【図４】バイブレータ駆動回路とその周辺の回路図
【図５】（ａ）バイブレータの連続動作時におけるバイブレータ駆動回路の起動時間とモータに流れる消費電流の関係を示す特性図、（ｂ）バイブレータの断続動作時におけるバイブレータ駆動回路の起動時間とモータに流れる消費電流の関係を示す特性図、（ｃ）バイブレータの高速動作および低速動作時におけるバイブレータ駆動回路の起動時間とモータに流れる消費電流の関係を示す特性図
【図６】本発明の実施の形態２におけるＣモードに設定した場合のバイブレータ着信動作を示すフロー図
【図７】本発明の実施の形態３におけるＤモードに設定した場合のバイブレータ着信動作を示すフロー図
【図８】従来の電話機の構成を示すブロック図
【符号の説明】
【００３５】
２２  無線受信部
２３  制御部
２５  登録番号メモリ
２６  照合手段
２７  バイブレータ駆動回路
２８  モータ
３１  モード設定メモリ
【図１】
2004357341.tif 000003
【図２】
2004357341.tif 000004
【図３】
2004357341.tif 000005
【図４】
2004357341.tif 000006
【図５】
2004357341.tif 000007
【図６】
2004357341.tif 000008
【図７】
2004357341.tif 000009
【図８】
2004357341.tif 000010